(57)【要約】【課題】 構造が簡単で、開閉部材のシール性を確保するため開閉部をラバーなどのような他の材料で形成しなければならないという問題点を解決することができる真空掃除機のモータ過負荷防止装置を提供する。【解決手段】 本発明による真空掃除機のモータ過負荷防止装置は、真空掃除機の本体フレームにテーパー状に形成された開口部を選択的に遮断し、前記開口部と対応するテーパー状に形成される開閉部が一端に設けられたダンパーボディ、および前記開閉部を前記開口部の閉じる方向に弾性支持する弾性部材を備えてなる。本発明の好適な第１の実施例によれば、前記ダンパーボディは、前記開口部を選択的に開閉するように旋回自在に設けられ、このため、前記本体フレームにヒンジ結合されていることが好ましい。【選択図】   図３Ａ
2005081144.tif 000002
【特許請求の範囲】
【請求項１】
真空掃除機の本体フレームにテーパー状に形成された開口部を選択的に遮断し、前記開口部と対応するテーパー状に形成される開閉部が一端に設けられたダンパーボディと、
前記開閉部を前記開口部が閉じられる方向に弾性支持する弾性部材と、
を有することを特徴とする真空掃除機のモータ過負荷防止装置。
【請求項２】
前記ダンパーボディは、前記開口部を選択的に開閉するように旋回自在に設けられていることを特徴とする請求項１に記載の真空掃除機のモータ過負荷防止装置。
【請求項３】
前記ダンパーボディは、前記本体フレームにヒンジ結合されることを特徴とする請求項２に記載の真空掃除機のモータ過負荷防止装置。
【請求項４】
前記ヒンジ結合は、前記ダンパーボディの他端に設けられる回転軸と、前記回転軸が軸支される軸孔が形成され、前記本体フレームから突設されるヒンジ部と、によってなされることを特徴とする請求項３に記載の真空掃除機のモータ過負荷防止装置。
【請求項５】
前記弾性部材は、一端が前記ダンパーボディに固定され、他端が前記本体フレームに固定される板バネであることを特徴とする請求項３に記載の真空掃除機のモータ過負荷防止装置。
【請求項６】
前記弾性部材は、一端が前記ダンパーボディに固定され、他端が前記本体フレームに固定される板バネであることを特徴とする請求項１に記載の真空掃除機のモータ過負荷防止装置。
【請求項７】
前記弾性部材の一端および他端は、それぞれ前記ダンパーボディおよび前記本体フレームにオーバーラップして固定されることを特徴とする請求項５に記載の真空掃除機のモータ過負荷防止装置。
【請求項８】
前記弾性部材の一端および他端は、それぞれ前記ダンパーボディおよび前記本体フレームにオーバーラップして固定されることを特徴とする請求項６に記載の真空掃除機のモータ過負荷防止装置。
【請求項９】
前記板バネの前記本体フレーム側への弾性復元力を調節するように、前記板バネの他端が固定され、前記本体フレームより突出している固定部が形成されることを特徴とする請求項７に記載の真空掃除機のモータ過負荷防止装置。
【請求項１０】
前記板バネの前記本体フレーム側への弾性復元力を調節するように、前記板バネの他端が固定され、前記本体フレームより突出している固定部が形成されることを特徴とする請求項８に記載の真空掃除機のモータ過負荷防止装置。
【請求項１１】
前記固定部は、その突出高さが可変可能に設けられることを特徴とする請求項９に記載の真空掃除機のモータ過負荷防止装置。
【請求項１２】
前記固定部は、その突出高さが可変可能に設けられることを特徴とする請求項１０に記載の真空掃除機のモータ過負荷防止装置。
【請求項１３】
前記ダンパーボディの他端には、キャップ部が設けられ、
前記弾性部材は、前記ダンパーボディの開閉部とキャップ部との間に介在するコイルバネであることを特徴とする請求項１に記載の真空掃除機のモータ過負荷防止装置。
【請求項１４】
前記コイルバネの直径は、前記テーパー状のダンパーボディ側の直径および前記開口部の小さい直径より大きく形成されることを特徴とする請求項１３に記載の真空掃除機のモータ過負荷防止装置。
【請求項１５】
前記ダンパーボディは、気流が通過する多数の通孔が設けられていることを特徴とする請求項１４に記載の真空掃除機のモータ過負荷防止装置。
【請求項１６】
前記多数の通孔は、前記ダンパーボディの長さ方向に延びて形成されることを特徴とする請求項１５に記載の真空掃除機のモータ過負荷防止装置。
【請求項１７】
前記キャップ部は、気流が通過する多数の通孔が設けられていることを特徴とする請求項１６に記載の真空掃除機のモータ過負荷防止装置。
【請求項１８】
前記コイルバネは、一端が前記本体フレームに固定され、他端が前記キャップ部に固定されることを特徴とする請求項１７に記載の真空掃除機のモータ過負荷防止装置。
【発明の詳細な説明】
【技術分野】
【０００１】
本発明は、真空掃除機に関し、より詳しくは、真空掃除機において吸込力を発生させる駆動モータの過負荷を防止する装置に関する。
【背景技術】
【０００２】
一般に、真空掃除機は、駆動モータの吸込力でゴミなどを吸い込みながら掃除を行うものであって、図１に、一般の真空掃除機が概略的に示されている。
【０００３】
同図に示されるように、真空掃除機は、駆動モータ１が取付けられる本体１０、本体１０と連結される吸込管３および吸込管３の一端に設けられる吸込ノズル５を備えてなる。本体１０は、駆動モータ１が取付けられるモータハウジング１１と、吸込管３で吸い込まれたゴミなどのフィルタリングが行われ、ゴミなどが溜まるフィルタ部７が取付けられる集塵ハウジング１３とを有し、これらは、隔壁１５で仕切られている。
【０００４】
吸込管３は、その一端に設けられる吸込ノズル５から吸い込まれるゴミなどを集塵ハウジング１３へ案内するものであって、通常、可撓性材質で形成される。
【０００５】
このような構成の真空掃除機は、駆動モータ１が作動して吸込力が発生され、この吸込力でゴミなどが吸込ノズル５を介して吸い込まれる。この吸い込まれたゴミなどは、吸込管３を介して集塵ハウジング１３内のフィルタ部７に溜まるようになる。このフィルタ部７でゴミなどのフィルタリングがされた気流は、モータハウジング１１の後面側に設けられた排気部１１ａを介して外部に排出される。
【０００６】
しかし、フィルタ部７にゴミなどが一杯に溜まったり吸込管３が詰まったりすると、空気の吸込が遮断され、駆動モータ１に過負荷がかかってしまう。従って、この過負荷による駆動モータ１の破損を防止するため、過負荷の際に、外部の空気が集塵ハウジング１３へ流入するようにするモータ過負荷防止装置２０を備えている。
【０００７】
図２Ａおよび図２Ｂは、従来のモータ過負荷防止装置２０を概略的に示した図である。同図に示されたように、従来のモータ過負荷防止装置２０は、ケース２１、バネ２３、開閉部材２５およびフランジ部２７を備える。
【０００８】
ケース２１は、バネ２３および開閉部材２５を収容するものであって、一端は開放され、他端には多数の通孔２１ａが形成されている。このようなケース２１は、モータハウジング１１と集塵ハウジング１３とを仕切る隔壁１５の開口部１５ａのフランジ部２７により固定される。
【０００９】
フランジ部２７は、通孔２７ａを有するリング状のものとして形成され、ケース２１の開放されている一端が固定されるように設けられる。
【００１０】
開閉部材２５は、開口部１５ａとのシール性を保障するようにラバー（ゴム）などの材料で形成され、リング状のフランジ部２７を選択的に遮蔽することができるように設けられる。このような開閉部材２５は、フランジ部２７の通孔２７ａの直径方向外側に多数の通孔２５ａが形成されている。従って、開閉部材２５がフランジ部２７の通孔２７ａを遮断し、フランジ部２７が開閉部材２５の通孔２５ａを選択的に遮断することとなる。
【００１１】
バネ２３は、ケース２１の他端と開閉部材２５との間に介在することにより開閉部材２５をフランジ部２７の遮断方向に弾性支持する。
【００１２】
このような構成のモータ過負荷防止装置２０は、真空掃除機の作動中、フィルタ部７にゴミなどが一杯に溜まったり吸込管３が詰まったりして集塵ハウジング１３内に負圧が発生すると、その負圧により開閉部材２５がバネ２３の弾性を克服し、集塵ハウジング１３側に移動することとなる。
【００１３】
従って、開閉部材２５は、リング状のフランジ部２７を遮断することなく、外気がリング状のフランジ部２７の通孔２７ａと、開閉部材２５およびケース２１の通孔２１ａ、通孔２５ａとを介して集塵ハウジング１３内に流入され、駆動モータ１の過負荷が防止される。
【００１４】
しかし、このような構成のモータ過負荷防止装置２０は、多数の部品で構成され、その構造が複雑であり、かつ、真空掃除機の正常作動時、開閉部材２５のシール性を確保するためにラバーなどで形成する必要があるため、その製造コストがアップするという問題点がある。
【発明の開示】
【発明が解決しようとする課題】
【００１５】
本発明は、前述の問題点を解決するためになされたものであって、本発明の目的は、構造が簡単で、開閉部材のシール性を確保するため開閉部をラバー（ゴム）などのような他の材料で形成しなければならないという問題点を解決することができる真空掃除機のモータ過負荷防止装置を提供することにある。
【課題を解決するための手段】
【００１６】
上記の目的を達成するための本発明による真空掃除機のモータ過負荷防止装置は、真空掃除機の本体フレームにテーパー状に形成された開口部を選択的に遮断し、前記開口部と対応するテーパー状に形成される開閉部が一端に設けられたダンパーボディと、前記開閉部を前記開口部が閉じられる方向に弾性支持する弾性部材と、を有する。
【００１７】
本発明の好適な第１の実施例によれば、前記ダンパーボディは、前記開口部を選択的に開閉するように旋回自在に設けられ、このため、前記本体フレームにヒンジ結合されることが好ましい。
【００１８】
また、前記弾性部材は、一端が前記ダンパーボディとオーバーラップして固定され、他端が前記本体フレームにオーバーラップして固定される板バネであることが好ましい。
【００１９】
また、本発明の好適な実施例によれば、前記板バネの前記本体フレーム側への弾性復元力を調節するように、前記板バネの他端が固定される本体フレームは、前記本体フレームより突出して設けられている。
【００２０】
また、前記本体フレームは、その突出高さが可変可能に設けられることが好ましい。
【００２１】
このような構成のモータ過負荷防止装置は、真空掃除機の駆動モータが取付けられるモータハウジングとフィルタ部が取付けられる集塵ハウジングとを仕切る隔壁に取付けることができ、これとは異なり、集塵ハウジングを形成するフレーム上に取付けることができる。
【００２２】
また、本発明の好適な第２の実施例によれば、前記ダンパーボディの他端には、キャップ部が設けられ、前記弾性部材は、前記ダンパーボディの開閉部とキャップ部との間に介在するコイルバネである。
【００２３】
本発明の好適な実施例によれば、前記コイルバネの直径は、前記テーパー状のダンパーボディ側の直径および前記開口部の直径より大きく形成される。
【００２４】
また、前記ダンパーボディは、気流が通過する多数の通孔が設けられ、この通孔は、前記ダンパーボディの長さ方向に延びて形成される。
【００２５】
また、前記キャップ部は、気流が通過する多数の通孔が設けられ、前記コイルバネは、一端が前記本体フレームに固定され、他端が前記キャップ部に固定される。
【００２６】
このような構成のモータ過負荷防止装置は、真空掃除機の駆動モータが取付けられるモータハウジングとフィルタ部が取付けられる集塵ハウジングとを仕切る隔壁に取付けることができ、これとは異なり、集塵ハウジングを形成するフレーム上に取付けることができる。
【発明の効果】
【００２７】
以上のように、本発明によれば、開閉部をラバーなどのような軟質の部品で形成することなく、テーパー状に形成することにより、開閉部と開口部との面接触時に僅かな誤差が出るとしてもシール性の信頼性を確保することができる。また、その構成要素を減らすことができ、ラバーなどのような軟質材料を使用する必要がないため、その製造コストが節減される。
【発明を実施するための最良の形態】
【００２８】
上記の目的および他の特徴については、添付の図面を参照しながら本発明の好適な実施例をあげて説明する。なお、本発明の実施例を説明するにあたって、従来とその構成および作用が同じものに対しては、同じ参照符号を付してある。
【実施例】
【００２９】
図３および図４は、本発明の第１の実施例に係る真空掃除機のモータ過負荷防止装置を概略的に示すものである。
【００３０】
同図に示されたように、本発明に係る真空掃除機のモータ過負荷防止装置１００は、ダンパーボディ１０１および弾性部材１０７を有する。
【００３１】
ダンパーボディ１０１の一端は、テーパー状の開閉部１０１ａが形成され、他端は、ダンパーボディ１０１が旋回できるように真空掃除機の隔壁１５にヒンジ結合される。このヒンジ結合は、ダンパーボディ１０１の他端両側に突設される回転軸１０１ｂと、回転軸１０１ｂが旋回できるように設けられる軸孔が形成されるヒンジ部１１５とによってなる。
【００３２】
テーパー状の開閉部１０１ａは、モータハウジング１１と集塵ハウジング１３とを仕切る隔壁１５の開口部１１３を遮断し、開口部１１３は、開閉部１０１ａの形状と対応するテーパー状に形成される。このようなテーパー状に形成される開閉部１０１ａの形状により、ある程度の開閉部１０１ａと開口部１１３との面接触に誤差が出るとしても、そのシール性を保障することができる。従って、従来のように開閉部をラバー（ゴム）などの材質で形成することによる製造コストの増加という問題点を解決することができる。
【００３３】
弾性部材１０７は、ダンパーボディ１０１の開閉部１０１ａが隔壁１５の開口部１１３を閉じる方向にダンパーボディ１０１を弾性支持し、本発明の好適な実施例では、板バネ１０７である。
【００３４】
本発明の好適な実施例によれば、板バネ１０７がダンパーボディ１０１に一層しっかり固定されるように、板バネ１０７の一端はダンパーボディ１０１とオーバーラップして固定され、他端は、隔壁１５にオーバーラップして固定される。板バネ１０７の他端が固定される隔壁１５には、板バネ１０７が隔壁１５側への弾性復元力を有するように固定部１１１が突設されている。この突設された隔壁１５の固定部１１１により板バネ１０７がダンパーボディ１０１を隔壁の開口部１１３側へ弾性支持する。
【００３５】
このような板バネ１０７がオーバーラップされるように、ダンパーボディの他端および隔壁１５の固定部上には、それぞれ板バネ１０７の収容部１０１ｃ、１１１ａが形成されることが好ましい。
【００３６】
なお、この隔壁１５の固定部１１１は、その突出高さの調整が可能であることが好ましい。板バネ１０７の弾性係数に影響を受けず、その突出高さを調整することで弾性復元力を調節することができるためである。
【００３７】
このような構成のモータ過負荷防止装置１００の作用を説明すると、次の通りである。
【００３８】
真空掃除機の作動中に、フィルタ部７が一杯になったり吸込管３が詰まったりすると、集塵ハウジング１３内に負圧が発生する。この負圧によりダンパーボディ１０１の開閉部１０１ａが板バネ１０７の弾性を克服し、回転軸１０１ｂを旋回中心にして図４Ａに示されるように集塵ハウジング１３側に反時計方向に旋回することとなる。
【００３９】
このように旋回された開閉部１０１ａが隔壁１５の開口部１１３を開放し、これによって、外気が集塵ハウジング１３側に流入する。このように気流が流入されることで駆動モータ１の過負荷を防止することが可能となる。
【００４０】
なお、フィルタ部７のゴミなどが除去されるか吸込管３が連通されると、集塵ハウジング１３の負圧は、板バネ１０７の弾性を克服することのできる大きさ以下となり、ダンパーボディ１０１が再度板バネ１０７の弾性復元力により図４Ｂに示されるように時計方向に旋回することで隔壁１５の開口部１１３が遮断されることとなる。
【００４１】
図５Ａおよび図５Ｂは、本発明の第２の実施例に係る真空掃除機のモータ過負荷防止装置を示すものである。これらの図に示されるように、真空掃除機のモータ過負荷防止装置２００は、ダンパーボディ２０１および弾性部材２０３を有する。
【００４２】
ダンパーボディ２０１の一端には、テーパー状の開閉部２０１ａが形成され、他端には、後述のキャップ部２０５が設けられている。このキャップ部２０５は、別途にダンパーボディ２０１に設けることもできるが、ダンパーボディー２０１と一体に形成しても良い。このようなテーパー状の開閉部２０１ａは、モータハウジング１１と集塵ハウジング１３とを仕切る隔壁１５の開口部２１５を遮断する。開口部２１５は、開閉部２０１ａの形状と対応するテーパー状に形成される。
【００４３】
このような開閉部２０１ａの形状をテーパー状にすることにより、開閉部２０１ａと開口部２１５との面接触にある程度の誤差が出るとしても、そのシール性が保障できる。従って、従来のように開閉部をラバーなどの材質で形成することによる製造コストの増加の問題を解決することができる。
【００４４】
また、ダンパーボディ２０１は、気流の通過ができるように多数の通孔２０１ｂが形成され、本発明の好適な実施例によれば、その長さ方向に延びて形成される。
【００４５】
ダンパーボディ２０１の他端に設けられるキャップ部２０５は、多数の通孔２０５ａが形成され、気流の円滑な通過ができるようになる。このキャップ部２０５は、弾性部材２０３が脱落しないように拘束する。
【００４６】
弾性部材２０３は、ダンパーボディ２０１の開閉部２０１ａが隔壁１５の開口部２１５を閉じる方向にダンパーボディ２０１を弾性支持し、本発明の好適な実施例では、コイルバネである。このコイルバネ２０３がダンパーボディ２０１の開閉部２０１ａとキャップ部２０５との間に設けられる。
【００４７】
コイルバネ２０３の一端は、隔壁１５に固定され、他端は、キャップ部２０５に固定される。なお、その直径は、開閉部２０１ａのダンパーボディ２０１側のテーパー形状および隔壁１５のテーパー形状である開口部２１５の小さい直径より大きく形成されることが好ましい。これによって、コイルバネ２０３が、ダンパーボディ２０１が移動するとしても、隔壁１５により拘束され、圧縮されることで、弾性を有することとなる。
【００４８】
このような構成のモータ過負荷防止装置２００の作用を説明すると、下記の通りである。
【００４９】
真空掃除機の作動中に、フィルタ部７が一杯になったり吸込管３が詰まったりすると、集塵ハウジング１３内に負圧が発生する。この負圧により図６Ａに示されるように、ダンパーボディ２０１の開閉部２０１ａがコイルバネ２０３の弾性を克服し、集塵ハウジング１３側に移動する。コイルバネ２０３は、その一端が隔壁１５に固定され、他端がキャップ部２０５ａに固定されているため、移動するダンパーボディ２０１と一体にキャップ部２０５ａも移動することとなり、キャップ部２０５ａの移動によりコイルバネ２０３が圧縮される。
【００５０】
このように移動された開閉部２０１ａが隔壁の開口部２１５を開放することで外気が集塵ハウジング１３側に流入される。このように気流が流入され、モータ１の過負荷を防止することが可能となる。
【００５１】
なお、フィルタ部７のゴミなどが除去されるか吸込管３が連通すると、集塵ハウジング１３の負圧は、コイルバネ２０３の弾性を克服することのできる大きさ以下になり、図６Ｂに示されるようにダンパーボディ２０１が再度コイルバネ２０３の弾性によりモータハウジング１１側に移動し、これによって、開閉部２０１ａが再度隔壁１５の開口部２１５を遮断するようになる。
【００５２】
以上、本発明の原理を例示するために図面を参照して本発明の実施例を説明してきたが、本発明の保護範囲は、前述の実施例に限定されるものではなく、特許請求の範囲に記載された発明とその均等物にまで及ぶものである。
【産業上の利用可能性】
【００５３】
本発明は、アップライト型真空掃除機、キャニスター型真空掃除機、スティック型真空掃除機などのような真空掃除機において適用することができる。
【図面の簡単な説明】
【００５４】
【図１】一般の真空掃除機を概略的に示す図である。
【図２Ａ】従来の真空掃除機のモータ過負荷防止装置の作動を説明するための図である。
【図２Ｂ】従来の真空掃除機のモータ過負荷防止装置の作動を説明するための図である。
【図３Ａ】本発明の第１の実施例に係るモータ過負荷防止装置を概略的に示す分解斜視図である。
【図３Ｂ】本発明の第１の実施例に係るモータ過負荷防止装置を概略的に示す正面図である。
【図３Ｃ】本発明の第１の実施例に係るモータ過負荷防止装置を概略的に示す側面図である。
【図４Ａ】図３Ａ乃至図３Ｃに示されるモータ過負荷防止装置の作動を説明するための図である。
【図４Ｂ】図３Ａ乃至図３Ｃに示されるモータ過負荷防止装置の作動を説明するための図である。
【図５Ａ】本発明の第２の実施例に係るモータ過負荷防止装置を概略的に示す分解斜視図である。
【図５Ｂ】本発明の第２の実施例に係るモータ過負荷防止装置を概略的に示す側面図である。
【図６Ａ】図５Ａおよび図５Ｂに示されるモータ過負荷防止装置の作動を説明するための図である。
【図６Ｂ】図５Ａおよび図５Ｂに示されるモータ過負荷防止装置の作動を説明するための図である。
【符号の説明】
【００５５】
１５    隔壁
１００    モータ過負荷防止装置
１０１    ダンパーボディ
１０１ａ    開閉部
１０１ｂ    回転軸
１０７    板バネ
１１１    固定部
１１３    固定部
１１５    ヒンジ部
２００    モータ過負荷防止装置
２０１    ダンパーボディ
２０１ａ    開閉部
２０１ｂ    通孔
２０３    コイルバネ
２０５    キャップ部
２０５ａ    通孔
【図１】
2005081144.tif 000003
【図２Ａ】
2005081144.tif 000004
【図２Ｂ】
2005081144.tif 000005
【図３Ａ】
2005081144.tif 000006
【図３Ｂ】
2005081144.tif 000007
【図３Ｃ】
2005081144.tif 000008
【図４Ａ】
2005081144.tif 000009
【図４Ｂ】
2005081144.tif 000010
【図５Ａ】
2005081144.tif 000011
【図５Ｂ】
2005081144.tif 000012
【図６Ａ】
2005081144.tif 000013
【図６Ｂ】
2005081144.tif 000014